(57)【要約】【課題】柔軟性を有し、ファクシミリ受信先へ極めて鮮明な文字等のファクシミリを送ることができ、しかも繰り返し使用可能なファクシミリ送信用マイクロカプセル磁気記録シートの提供【解決手段】本考案のファクシミリ送信用マイクロカプセル磁気記録シートＩは、印刷された文字、画像等を有する透明シート１、マイクロカプセル被覆層２及び光吸収性被覆層５をこの順に有するものからなる。光吸収性被覆層５としては、着色塗料、特に、黒色塗料、赤色塗料、茶色塗料等を塗布して被膜を形成してもよい。この被覆は、塗布によって形成されるため薄い層として形成することができる。【選択図】　　図１
0003098754.tif 000002
【実用新案登録請求の範囲】
【請求項１】
印刷された透明シート、マイクロカプセル被覆層及び光吸収性被覆層をこの順に有し、かつ柔軟性を有することを特徴とするファクシミリ送信用マイクロカプセル磁気記録シート。
【請求項２】
透明シート、マイクロカプセル被覆層及び光吸収性被覆層をこの順に有するマイクロカプセル磁気記録シートの透明シート表面に、印刷された透明薄製シートが貼着されていることを特徴とするファクシミリ送信用マイクロカプセル磁気記録シート。
【請求項３】
マイクロカプセル磁気記録シート全体の厚みがファクシミリ機器によって自動送信しうる厚みであることを特徴とする請求項１又は請求項２に記載のファクシミリ送信用マイクロカプセル磁気記録シート。
【請求項４】
光吸収性被覆層が黒色であることを特徴とする請求項１乃至請求項３のいずれかに記載のファクシミリ送信用マイクロカプセル磁気記録シート。
【請求項５】
上蓋を有する箱型収納ケースに、ファクシミリ送信用マイクロカプセル磁気記録シートの収納領域を長手方向に沿って仕切板で仕切り、かつ該仕切板で区切られた細長い領域を更に幅方向に仕切り、得られた収納部にそれぞれ消去用磁石と磁気ペンを一式及び複数枚以上のファクシミリ送信用マイクロカプセル磁気記録シートを収納したことを特徴とするファクシミリ送信用マイクロカプセル磁気記録シート収納ケース。
【考案の詳細な説明】
【０００１】
【考案の属する技術分野】本考案は、ファクシミリ送信用マイクロカプセル磁気記録シート及びその収納ケースに関し、更に詳しくはファクシミリ受信先へ鮮明な文字等の送ることができ、しかも繰り返し使用可能なファクシミリ送信用マイクロカプセル磁気記録シートに関する。また本発明は、このファクシミリ送信用マイクロカプセル磁気記録シートの使用時に用いられる消去装置と磁気ペンを一緒に収納できる収納ケースに関するものである。
【０００２】
【従来の技術】従来、磁気ペンを用いて文字や絵を書くことができる磁気記録シート乃至記録板は知られており、更に具体的には、ハニカム方式による磁気記録板やマイクロカプセル磁気記録シートが知られており、特に近年、マイクロカプセル磁気記録シートは、記録画像が鮮明な上、小型化し得ることから広く用いられている。このマイクロカプセルを用いる磁気記録シートには、磁性粉として球状磁性粉を用いるものと偏平な磁性粉を用いるものとがある。これらのマイクロカプセル磁気記録シートは、いずれも磁気ペンを用いて文字や絵等を記録面に記録し、かつ消去することができ、しかもこれらを繰り返し行うことができる。
【０００３】
【考案が解決しようとする課題】しかしながら、前述のマイクロカプセル磁気記録シートは、使用目的が決まっている場合が多く、したがって通常卓上で使用する場合がほとんどであった。ところが、最近では、このマイクロカプセル磁気記録シートが繰り返し使用可能である点が注目され、これをファクシミリ送信に使用する試みがなされたが、通常、自動連続送信するためには、普通のマイクロカプセル磁気記録シートでは柔軟性がないため、普通紙と一緒に送信することができないという不便があり、また柔軟性をもたせるために該シートの裏面に不織布を施すと厚みが厚くなり自動送信することが不可能となり実際には全く使用されていないのが実情である。一方、マイクロカプセル磁気記録シートに記録した後、このまま送信すると受信先では、十分鮮明な文字等が得られず、非常に読みずらいという問題があった。これらの点にかんがみ本考案者等は種々検討したところ、前者においては、全体的に薄く構成するばかりでばく裏面シートを薄くしてシート全体に柔軟性をもたせ、また後者においては、表面を通過した光（紫外線）がマイクロカプセル磁気記録シートの裏面で乱反射することに原因があることがわかったので、本考案者は、該マイクロカプセル磁気記録シートの裏面に黒色塗料などの光吸収性被膜を設けてみたところ、この被覆は薄く塗布でき、したがって、ファクシミリ機器により自動送信が容易にでき、しかも受信先でも、極めて鮮明な状態のファクシミリが得られることを見出し、ここに本考案をなすに至った。
【０００４】
またこれに付随してこのファクシミリ送信用マイクロカプセル磁気記録シートの使用時に用いられる消去装置と磁気ペンを一緒に収納できる収納ケースを見出した。したがって、本考案が解決しようとする第１の課題は、柔軟性を有し、ファクシミリ機器により自動送信が容易にでき、しかもファクシミリ受信先へ極めて鮮明な文字等のファクシミリを送ることができ、しかも繰り返し使用可能なファクシミリ送信用マイクロカプセル磁気記録シートを提供することにある。また本考案が解決しようとする第２の課題は、ファクシミリ送信用マイクロカプセル磁気記録シートに付随して該マイクロカプセル磁気記録シートの使用時に用いられる消去装置と磁気ペンを一緒に収納し、紛失することなく保管することができる収納ケースを提供することにある。
【０００５】
【課題を解決するための手段】本考案の上記各課題は、以下の各考案によってそれぞれ達成される。
【０００６】
（１）印刷された透明シート、マイクロカプセル被覆層及び光吸収性被覆層をこの順に有し、かつ柔軟性を有することを特徴とするファクシミリ送信用マイクロカプセル磁気記録シート。
（２）透明シート、マイクロカプセル被覆層及び光吸収性被覆層をこの順に有するマイクロカプセル磁気記録シートの透明シート表面に、印刷された透明薄製シートが貼着されていることを特徴とするファクシミリ送信用マイクロカプセル磁気記録シート。
（３）マイクロカプセル磁気記録シート全体の厚みがファクシミリ機器によって自動送信しうる厚みであることを特徴とする請求項１又は請求項２に記載のファクシミリ送信用マイクロカプセル磁気記録シート。
（４）光吸収性被覆層が黒色であることを特徴とする前記第１項乃至第２項のいずれかに記載のファクシミリ送信用マイクロカプセル磁気記録シート。
（５）上蓋を有する箱型収納ケースに、ファクシミリ送信用マイクロカプセル磁気記録シートの収納領域を長手方向に沿って仕切板で仕切り、かつ該仕切板で区切られた細長い領域を更に幅方向に仕切り、得られた収納部にそれぞれ消去用磁石と磁気ペンを一式及び複数枚以上のファクシミリ送信用マイクロカプセル磁気記録シートを収納したことを特徴とするファクシミリ送信用マイクロカプセル磁気記録シート収納ケース。
【０００７】
【考案の実施の形態】以下に、本考案の実施の形態を図面を用いて説明するが、本考案は、これに限定されるものではない。図１は、本考案のファクシミリ送信用マイクロカプセル磁気記録シートを示す断面図である。また図２は、本考案のファクシミリ送信用マイクロカプセル磁気記録シートの別の実施の形態を示す断面図である。図３は、ファクシミリ送信用マイクロカプセル磁気記録シート上に印刷された様式を示す平面図である。更に図４は、本考案のファクシミリ送信用マイクロカプセル磁気記録シート等を収納する収納ケースを示す斜視図である。図１において、本考案のファクシミリ送信用マイクロカプセル磁気記録シートＩは、印刷された文字、画像等を有する透明シート１、マイクロカプセル被覆層２及び光吸収性被覆層５をこの順に有するものからなる。このシートは柔軟性を有し、ファクシミリ機器によって自動送信が極めて容易に行うことができる。光吸収性被覆層５としては、着色塗料、特に、黒色塗料、赤色塗料、茶色塗料等を塗布して被膜を形成してもよい。この被覆は、塗布によって形成されるため薄い層として形成することができる。ここで、ファクシミリ送信用マイクロカプセル磁気記録シートＩを作製する際、透明シート１の表面に有する印刷は、予め透明シートに印刷した後、これにマイクロカプセル被覆層２を設け、更にこのマイクロカプセル被覆層２の表面に光吸収性被覆層を設けてもよく、また透明シート１上にマイクロカプセル被覆層２を設け、ついで、光吸収性被覆層５を設けてマイクロカプセル磁気記録シートを作製した後、この透明シート表面に印刷してもよい。印刷物としては、特に限定されるものではなく、文字、画像、表、枠、各種の様式、その他、ファクシミリしたい事項等が挙げられる。マイクロカプセル被覆層中のマイクロカプセルは、マイクロカプセル中に分散媒、磁性粉、着色顔料（特に白色顔料が好ましい）等が内包しており、磁性粉としては、球状でも偏平であってもよい。
【０００８】
図２では、マイクロカプセル磁気記録シートの透明シートの表面に、印刷された透明薄製シートを貼着したもので、具体的には、本考案のファクシミリ送信用マイクロカプセル磁気記録シートＩＩは、透明シート１ａ、マイクロカプセル被覆層２及び光吸収性被覆層５をこの順に有し、更に該透明シート１ａの表面には、印刷された文字、画像等を有する透明薄製シート１ｂが貼着される。貼着は、透明貼着剤、透明接着剤や静電気摩擦による貼着が好ましい。印刷の具体例としては、図３に示されるようなファクシミリ送信用の様式の一例が示されている。図３において、宛先として、会社名、部署名、ＦＡＸ等、送信者として、送信日、会社名、部署名、氏名、住所、電話、ＦＡＸ等が印刷される。更に、件名、引き、備考、送信枚数等が印刷され、マイクロカプセル磁気記録シート上に記録される空欄を有している。
【０００９】
図４では、収納ケースが示され、この箱型収納ケース本体１１には、上蓋１２が取り付けられており、またこのケース本体１１の内部は、長手方向に沿って仕切板１３で仕切り、かつ該仕切板１３で区切られた細長い領域を更に幅方向に仕切板１４で仕切り、得られた収納部に消去用磁石１６と磁気ペン１７を収納すると共に、収納個所１５には、必要枚数のファクシミリ送信用マイクロカプセル磁気記録シートを収納する。このように収納ケースＩＩＩにファクシミリ送信用マイクロカプセル磁気記録シートに記録する際、必要な消去装置や筆記用磁気ペンをそれぞれの収納部へ収納しておくことができ、またこのように収納することにより、消去装置や筆記用磁気ペンを紛失することなく保管しておくことができるものである。なお、本考案のファクシミリ送信用マイクロカプセル磁気記録シートの裏面には、使用の仕方や注意書等を印刷した用紙を貼付してもよい。
【００１０】
【考案の効果】本考案のファクシミリ送信用マイクロカプセル磁気記録シートによれば、印刷された透明シート、マイクロカプセル被覆層及び光吸収性被覆層をこの順に有し、かつ柔軟性を有することにより、柔軟性を有し、ファクシミリ機器により自動送信が容易にでき、しかもファクシミリ受信先へ極めて鮮明な文字等のファクシミリを送ることができ、更に繰り返し使用可能なファクシミリ送信用マイクロカプセル磁気記録シートが得られる。また本考案のファクシミリ送信用マイクロカプセル磁気記録シートすうのうケースによれば、上蓋を有する箱型収納ケースに、ファクシミリ送信用マイクロカプセル磁気記録シートの収納領域を長手方向に沿って仕切板で仕切り、かつ該仕切板で区切られた細長い領域を更に幅方向に仕切り、得られた収納部に消去用磁石と磁気ペンを収納したことにより、ファクシミリ送信用マイクロカプセル磁気記録シートに付随して該マイクロカプセル磁気記録シートの使用時に用いられる消去装置と磁気ペンを一緒に収納し、紛失することなく保管することができる
【図面の簡単な説明】
【図１】本考案のファクシミリ送信用マイクロカプセル磁気記録シートを示す断面図である。
【図２】本考案のファクシミリ送信用マイクロカプセル磁気記録シートの別の実施の形態を示す断面図である。
【図３】本考案のファクシミリ送信の様式を示したファクシミリ送信用マイクロカプセル磁気記録シートの平面図である。
【図４】本考案の収納ケースを示す斜視図である。
【符号の説明】
１　透明シート　　　　　　　　　４　バインダー
１ａ　薄透明シート　　　　　　　５　光吸収性被覆
１ｂ　透明シート　　　　　　　　６　印刷層
２　マイクロカプセル被覆層　　　　　　　　　　　　　　　　　　　　　　３　マイクロカプセル
Ｉ、ＩＩ　マイクロカプセル磁気記録シート
ＩＩＩ　収納ケース
【図１】
0003098754.tif 000003
【図２】
0003098754.tif 000004
【図３】
0003098754.tif 000005
【図４】
0003098754.tif 000006